(57)【特許請求の範囲】
【請求項１】
互いに開閉動される複数の可動型と複数の固定型とを備え、その各可動型と各固定型とが相対動して複数の固定型のうちいずれかの固定型に対し複数の可動型のうちいずれかの可動型を組み合わせた複数組の金型で、固定型に対し可動型を型締めした際に、その固定型と可動型との間で形成したキャビティに溶湯を供給する金型装置において、
前記複数の可動型のうち少なくともいずれかの可動型には、固定型に対し可動型を型締めする際に固定型と可動型との間のキャビティに挿入され、固定型に対し可動型を型開きする際にそのキャビティから離脱されるように移動する中子と、固定型に対する可動型の開閉動をキャビティに対する前記中子の挿脱として変換することができる挿脱機構とを設け、
前記挿脱機構は、中子が取着された可動板に取着され、中子とともに移動するばねが巻装されたストッパ軸と、固定型に対し可動型を型締めする際に固定型に設けた押圧部に当接し、固定型に対し可動型を型開きする際にその押圧部から離間する連動部と、その連動部の動きを前記ストッパ軸及び中子に伝える伝動部とを備え、型開き状態においては、前記ばねの弾性力により中子がキャビティから離脱するとともに連動部の先端部は可動型の先端面から突出することを特徴とする金型装置。
【請求項２】
固定盤に対し開閉動される可動盤に対し回動可能に支持した回動盤でその回動中心線を中心とする周方向へ配設される複数の可動型と、その固定盤で回動盤の回動中心線を中心とする周方向へ配設される複数の固定型とを備え、この回動盤の回動により複数の固定型のうちいずれかの固定型に対し複数の可動型のうちいずれかの可動型が組み合わされた複数組の金型で、固定型に対し可動型を型締めした際に、その固定型と可動型との間で形成したキャビティに溶湯を供給する金型装置において、
前記複数の可動型のうち少なくともいずれかの可動型には、固定型に対し可動型を型締めする際にそれらの間のキャビティに挿入され、固定型に対し可動型を型開きする際にそのキャビティから離脱されるように移動する中子と、固定型に対する可動型の開閉動をキャビティに対する前記中子の挿脱として変換することができる挿脱機構とを設け、
前記挿脱機構は、中子が取着された可動板に取着され、中子とともに移動するばねが巻装されたストッパ軸と、固定型に対し可動型を型締めする際に固定型に設けた押圧部に当接し、固定型に対し可動型を型開きする際にその押圧部から離間する連動部と、その連動部の動きを前記ストッパ軸及び中子に伝える伝動部とを備え、型開き状態においては、前記ばねの弾性力により中子がキャビティから離脱するとともに連動部の先端部は可動型の先端面から突出することを特徴とする金型装置。
【請求項３】
前記複数組の金型は、第一の固定型または第二の固定型に対し第一の可動型または第二の可動型を組み合わせた四組の金型であって、その第一の可動型と第二の可動型とのうち少なくともいずれかの可動型に前記中子及び挿脱機構が設けられていることを特徴とする請求項１または請求項２に記載の金型装置。
【請求項４】
前記中子及び連動部は可動型に設けた案内部で移動可能に支持され、前記伝動部は可動型で回動可能に支持されたレバーを有し、そのレバーを連動部が回動させて中子がキャビティに挿脱されることを特徴とする請求項１または請求項２に記載の金型装置。
【発明の詳細な説明】
【技術分野】
【０００１】
本発明は、互いに開閉動される複数の可動型と複数の固定型とが相対動して互いに組み合わされた複数組の金型により、一つの成形物を複数回の成形により製造することができるとともに、複数個の成形物を同時に成形することができる金型装置において、可動型に設けた中子を固定型のキャビティに挿入したり固定型のキャビティから離脱させたりするための挿脱機構に関するものである。
【背景技術】
【０００２】
従来、この種の金型装置においては、中子を有する可動型ごとに設けられた挿脱機構でそれぞれ中子を挿脱させるモータ等の駆動源が組み込まれている。
【発明の開示】
【発明が解決しようとする課題】
【０００３】
しかし、複数組の金型により一つの成形物を複数回の成形により製造することができる従来の金型装置においては、中子を挿脱させるモータ等の駆動源を可動型ごとに必要とするため、可動型の挿脱機構が複雑になっていた。
【０００４】
この発明は、複数組の金型により一つの成形物を複数回の成形により製造することができるとともに複数個の成形物を同時に成形することができる金型装置において、中子を挿脱させる駆動源を改良して可動型の挿脱機構を簡略化することを目的としている。
【課題を解決するための手段】
【０００５】
後記実施形態の図面（図１〜６）の符号を援用して本発明を説明する。
請求項１の発明にかかる金型装置においては、互いに開閉動される複数（固定型６，７と同数）の可動型４，５と複数（可動型４，５と同数）の固定型６，７とを備え、その各可動型４，５と各固定型６，７とが相対動して複数の固定型６，７のうちいずれかの固定型６または７に対し複数の可動型４，５のうちいずれかの可動型４または５を組み合わせた複数組の金型８，９，１０，１１で、固定型６，７に対し可動型４，５を型締めした際に、その固定型６，７と可動型４，５との間で形成したキャビティＳ１，Ｓ２に溶湯を供給する。前記複数の可動型４，５のうち少なくともいずれかの可動型４，５には、固定型６，７に対し可動型４，５を型締めする際に固定型６と可動型４，５との間のキャビティＳ１に挿入され、固定型６，７に対し可動型４，５を型開きする際にそのキャビティＳ１から離脱されるように移動する中子１２と、固定型６，７に対する可動型４，５の開閉動をキャビティＳ１に対する前記中子１２の挿脱として変換することができる挿脱機構１４とを設け、前記挿脱機構１４は、中子１２が取着された可動板１５に取着され、中子１２とともに移動するばね１７が巻装されたストッパ軸１６と、固定型６，７に対し可動型４，５を型締めする際に固定型６に設けた押圧部２４に当接し、固定型６，７に対し可動型４，５を型開きする際にその押圧部２４から離間する連動部１８と、その連動部１８の動きを前記ストッパ軸１６及び中子１２に伝える伝動部２０とを備え、型開き状態においては、前記ばね１７の弾性力により中子１２がキャビティＳ１から離脱するとともに連動部１８の先端部は可動型４，５の先端面から突出する。
【０００６】
請求項２の発明にかかる金型装置においては、固定盤１に対し開閉動される可動盤２に対し回動可能に支持した回動盤３でその回動中心線３ａを中心とする周方向へ配設される複数(固定型６，７と同数)の可動型４，５と、その固定盤１で回動盤３の回動中心線３ａを中心とする周方向へ配設される複数（可動型４，５と同数）の固定型６，７とを備え、この回動盤３の回動により複数の固定型６，７のうちいずれかの固定型６または７に対し複数の可動型４，５のうちいずれかの可動型４または５が組み合わされた複数組の金型８，９，１０，１１で、固定型６，７に対し可動型４，５を型締めした際に、その固定型６，７と可動型４，５との間で形成したキャビティＳ１，Ｓ２に溶湯を供給する。前記複数の可動型４，５のうち少なくともいずれかの可動型４，５には、固定型６に対し可動型４，５を型締めする際にそれらの間のキャビティＳ１に挿入され、固定型６に対し可動型４，５を型開きする際にそのキャビティＳ１から離脱されるように移動する中子１２と、固定型６，７に対する可動型４，５の開閉動をキャビティに対する前記中子１２の挿脱として変換することができる挿脱機構１４とを設け、前記挿脱機構１４は、中子１２が取着された可動板１５に取着され、中子１２とともに移動するばね１７が巻装されたストッパ軸１６と、固定型６，７に対し可動型４，５を型締めする際に固定型６に設けた押圧部２４に当接し、固定型６，７に対し可動型４，５を型開きする際にその押圧部２４から離間する連動部１８と、その連動部１８の動きを前記ストッパ軸１６及び中子１２に伝える伝動部２０とを備え、型開き状態においては、前記ばね１７の弾性力により中子１２がキャビティＳ１から離脱するとともに連動部１８の先端部は可動型４，５の先端面から突出する。
【０００７】
請求項１〜２の発明では、複数組の金型８，９，１０，１１により一つの成形物Ｗ２を複数回の成形により製造することができるとともに複数個の成形物Ｗ２を同時に成形することができるばかりではなく、固定型６，７に対する可動型４，５の開閉動を中子１２の挿脱として変換することができる駆動源を採用して可動型４，５の挿脱機構１４を簡略化することができる。また、固定型６，７に対する可動型４，５の開閉動の際に固定型６の押圧部２４と可動型４，５の連動部１８との間の接離により伝動部２０を介して中子１２を容易に挿脱させることができる。
【０００８】
請求項１または請求項２の発明を前提とする請求項３の発明において、前記複数組の金型は、第一の固定型６または第二の固定型７に対し第一の可動型４または第二の可動型５を組み合わせた四組の金型８，９，１０，１１であって、その第一の可動型４と第二の可動型５とのうち少なくともいずれかの可動型４，５に前記中子１２及び挿脱機構１４が設けられている。請求項３の発明では、請求項１〜２の発明の効果を四組の金型８，９，１０，１１で発揮させることができる。
【００１０】
請求項１または請求項２の発明を前提とする請求項４の発明において、前記中子１２及び連動部１８は可動型４，５に設けた案内部１３，１９で移動可能に支持され、前記伝動部は可動型４，５で回動可能に支持されたレバー２０を有し、そのレバー２０を連動部１８が回動させて中子１２がキャビティＳ１に挿脱される。例えば、固定型６，７に対し可動型４，５を型締めする際に固定型６の押圧部２４に当接する連動部１８がそのレバー２０を回動させて中子１２がばね１７の弾性力に抗してＳ１に挿入され、固定型６，７に対し可動型４，５を型開きする際に固定型６の押圧部２４から連動部１８が離間してそのレバー２０がばね１７の弾性力により回動するとともに中子１２がキャビティＳ１から離脱する。請求項４の発明では、可動型４，５の挿脱機構１４を簡単な構造にすることができる。
【発明の効果】
【００１１】
本発明は、複数組の金型８，９，１０，１１により一つの成形物Ｗ２を複数回の成形により製造することができるとともに複数個の成形物Ｗ２を同時に成形することができる金型装置において、固定型６，７に対する可動型４，５の開閉動を中子１２の挿脱として変換することができる挿脱機構１４を採用したので、可動型４，５の挿脱機構１４で中子１２を挿脱させる駆動源を簡略化することができる。
【発明を実施するための最良の形態】
【００１２】
以下、本発明の一実施形態にかかる金型装置について図面を参照して説明する。
固定盤１に対し開閉駆動部（図示せず）により開閉動される可動盤２に対し回動駆動部（図示せず）により回動可能に支持された回動盤３において、型面４ａを有する第一の可動型４と型面５ａを有する第二の可動型５とがその回動中心線３ａを中心とする周方向へ１８０度間隔で配設されている。その固定盤１において、型面６ａを有する第一の固定型６と型面７ａを有する第二の固定型７とが回動盤３の回動中心線３ａを中心とする周方向へ１８０度間隔で配設されている。この回動盤３が１８０度回動して反転すると、第一の固定型６に対し第一の可動型４が面する一組の金型８と、第二の固定型７に対し第二の可動型５が面する一組の金型９とが互いに並んで配設され、または、第一の固定型６に対し第二の可動型５が面する一組の金型１０と、第二の固定型７に対し第一の可動型４が面する一組の金型１１とが互いに並んで配設される。
【００１３】
前記第一の可動型４及び第二の可動型５においては、棒状の中子１２が案内部としての案内孔１３で回動中心線３ａの方向へ移動可能に支持され、その中子１２を移動させる挿脱機構１４が組み込まれている。この挿脱機構１４においては、この中子１２が取着された可動板１５にストッパ軸１６も取着され、このストッパ軸１６に巻装されたばね１７（圧縮コイルばね）の弾性力により可動板１５が中子１２とともに付勢され、また、棒状の連動部１８が案内部としての案内孔１９で回動中心線３ａの方向へ移動可能に支持され、その連動部１８の動きを前記中子１２に伝える伝動部としてレバー２０が支軸２１により回動可能に支持されている。このレバー２０において支軸２１の両側に延びる両腕部２２，２３のうち、一方の腕部２２には可動板１５がばね１７の弾性力により圧接されているとともに、他方の腕部２３が連動部１８の内端部に対しばね１７の弾性力により圧接されている。前記第一の固定型６には押圧部２４が形成されているとともに、前記第二の固定型７には凹部２５が形成され、その第一の固定型６または第二の固定型７に第一の可動型４または第二の可動型５が面した状態で第一の可動型４の連動部１８または第二の可動型５の連動部１８がその押圧部２４及び凹部２５に対向する。
【００１４】
図１に示す型開き状態Ｐ１においては、第一の固定型６に対し第一の可動型４が面する一組の金型８と、前工程の一次成形物Ｗ１が型面５ａに残る第二の可動型５が第二の固定型７に対し面する一組の金型９とが互いに並んで配設される。その際、第一の可動型４において中子１２がばね１７の弾性力により型面４ａの内側に没入するとともに、第二の可動型５において中子１２がばね１７の弾性力により型面５ａの内側に没入する。
【００１５】
図２に示す型締め状態Ｑ１において、第一の固定型６の型面６ａと第一の可動型４の型面４ａとの間には一次成形キャビティＳ１が形成され、第二の固定型７の型面７ａと第二の可動型５の型面５ａとの間には前工程の一次成形物Ｗ１を収容した二次成形キャビティＳ２が形成される。第一の固定型６に対し第一の可動型４が型締めされる際には、第一の可動型４の挿脱機構１４において、連動部１８の外端部が第一の固定型６の押圧部２４に当接して押されるため、レバー２０が回動して中子１２がばね１７の弾性力に抗して型面４ａから突出して一次成形キャビティＳ１に挿入される。また、第二の固定型７に対し第二の可動型５が型締めされる際には、第二の可動型５の挿脱機構１４において、連動部１８の外端部が第二の固定型７の凹部２５に挿入されるため、中子１２がばね１７の弾性力により型面５ａの内側に没入した状態のままで二次成形キャビティＳ２から離脱される。一組の金型８において固定型６にある供給口（図示せず）から溶湯が一次成形キャビティＳ１に供給されると、一次成形物Ｗ１が成形される。一組の金型９において固定型７にある供給口（図示せず）から溶湯が二次成形キャビティＳ２に供給されると、一次成形物Ｗ１を含む二次成形物Ｗ２が成形される。
【００１６】
図３に示す型開き状態Ｐ１においては、一次成形物Ｗ１が第一の可動型４の型面４ａに残るとともに、二次成形物Ｗ２が第二の可動型５の型面５ａに残る。その際、第二の可動型５においては中子１２がばね１７の弾性力により型面５ａの内側に没入したままであるが、第一の可動型４においては中子１２がばね１７の弾性力により型面４ａの内側に没入して一次成形物Ｗ１から抜ける。そして、その二次成形物Ｗ２は第二の可動型５の型面５ａから押出部２６により取り出される。
【００１７】
図４に示す型開き状態Ｐ２においては、回動盤３が回動して第一の可動型４と第二の可動型５とが互いに１８０度反転し、第一の固定型６に対し第二の可動型５が面する一組の金型１０と、前工程の一次成形物Ｗ１が型面４ａに残る第一の可動型４が第二の固定型７に対し面する一組の金型１１とが互いに並んで配設される。
【００１８】
図５に示す型締め状態Ｑ２において、第一の固定型６の型面６ａと第二の可動型５の型面５ａとの間には一次成形キャビティＳ１が形成され、第二の固定型７の型面７ａと第一の可動型４の型面４ａとの間には前工程の一次成形物Ｗ１を収容した二次成形キャビティＳ２が形成される。第一の固定型６に対し第二の可動型５が型締めされる際には、第二の可動型５の挿脱機構１４において、連動部１８の外端部が第一の固定型６の押圧部２４に当接して押されるため、レバー２０が回動して中子１２がばね１７の弾性力に抗して型面５ａから突出して一次成形キャビティＳ１に挿入される。また、第二の固定型７に対し第一の可動型４が型締めされる際には、第一の可動型４の挿脱機構１４において、連動部１８の外端部が第二の固定型７の凹部２５に挿入されるため、中子１２がばね１７の弾性力により型面４ａの内側に没入した状態のままで二次成形キャビティＳ２から離脱される。一組の金型１０において固定型６にある供給口（図示せず）から溶湯が一次成形キャビティＳ１に供給されると、一次成形物Ｗ１が成形される。一組の金型１１において固定型７にある供給口（図示せず）から溶湯が二次成形キャビティＳ２に供給されると、一次成形物Ｗ１を含む二次成形物Ｗ２が成形される。
【００１９】
図６に示す型開き状態Ｐ２においては、一次成形物Ｗ１が第二の可動型５の型面５ａに残るとともに、二次成形物Ｗ２が第一の可動型４の型面４ａに残る。その際、第一の可動型４においては中子１２がばね１７の弾性力により型面４ａの内側に没入したままであるが、第二の可動型５においては中子１２がばね１７の弾性力により型面５ａの内側に没入して一次成形物Ｗ１から抜ける。そして、その二次成形物Ｗ２は第一の可動型４の型面４ａから押出部２６により取り出される。
【００２０】
その後、回動盤３が回動して第一の可動型４と第二の可動型５とが互いに１８０度反転すると、図１に示す型開き状態Ｐ１に戻る。
本実施形態においては、第一の固定型６に対する第一の可動型４または第二の可動型５の開閉動をキャビティＳ１に対する中子１２の挿入と離脱として変換することができる。従って、第一の固定型６または第二の固定型７に対し第一の可動型４または第二の可動型５を組み合わせた四組の金型８，９，１０，１１により一つの成形物Ｗ２を複数回の成形により製造することができるとともに複数個の成形物Ｗ２を同時に成形することができる金型装置において、可動型４，５の挿脱機構１４を簡略化することができる。
【００２１】
なお、このような金型装置において固定型と可動型とをそれぞれ互いに同数で三以上設けてもよい。
【図面の簡単な説明】
【００２２】
【図１】本実施形態にかかる金型装置において型開き状態で一次成形前の金型と一次成形後二次成形前の金型とを概略的に示す断面図である。
【図２】本実施形態にかかる金型装置において型締め状態で一次成形前の金型と一次成形後二次成形前の金型とを概略的に示す断面図である。
【図３】本実施形態にかかる金型装置において型開き状態で一次成形後の金型と二次成形後の金型とを概略的に示す断面図である。
【図４】本実施形態にかかる金型装置において両可動型の反転後の型開き状態で一次成形前の金型と一次成形後次成形前の金型とを概略的に示す断面図である。
【図５】本実施形態にかかる金型装置において両可動型の反転後の型締め状態で一次成形前の金型と一次成形後二次成形前の金型とを概略的に示す断面図である。
【図６】本実施形態にかかる金型装置において両可動型の反転後の型開き状態で一次成形後の金型と二次成形後の金型とを示す概略的に断面図である。
【符号の説明】
【００２３】
１…固定盤、２…可動盤、３…回動盤、３ａ…回動中心線、４…第一の可動型、５…第二の可動型、６…第一の固定型、７…第二の固定型、８，９，１０，１１…金型、１２…中子、１３…中子の案内部としての案内孔、１４…可動型の挿脱機構、１７…挿脱機構のばね、１８…挿脱機構の連動部、１９…連動部の案内部としての案内孔、２０…挿脱機構の伝動部としてのレバー、２４…固定型の押圧部、Ｓ１…一次成形キャビティ、Ｓ２…二次成形キャビティ。
【図１】
0005161524.tif 000002
【図２】
0005161524.tif 000003
【図３】
0005161524.tif 000004
【図４】
0005161524.tif 000005
【図５】
0005161524.tif 000006
【図６】
0005161524.tif 000007